(57)【特許請求の範囲】
【請求項１】
操作部には固設部と昇降操作部とが具備され、当該操作部の昇降操作部により上下動自在なるよう前記固設部に貫装した操作棒の下端には、開閉用作動子を設けると共に、この操作棒を軸線上に挿通した操作用筒が固設部から下設されて、当該操作用筒の下端取扱部には、複数の係止爪腕が開閉動自在なるよう垂装枢支されてなる把持具と、ブッシュ部の発条により下方への伸出状態に保持されて昇降動自在であると共に、押当用鍔の固設された複数のガイドピンとが装備され、使用済燃料集合体の上部ノズルへ向けて前記下端取扱用部を降下させることで、上記のガイドピンを上部ノズルのＳホールに挿入して、当該ガイドピンの先端部が上部ノズルのアダプタプレートに非接触状態が保持されるよう前記押当用鍔の下端側平周縁面を、上部ノズルの載置面にあって受承することにより、前記ブッシュ部の発条を荷重圧縮して前記下端取扱用部を降下自在とし、このことで前記把持具の係止爪腕が、上部ノズルの係当部に係止可能な位置まで進入自在となり、前記した昇降操作部が下位配置にあるときは、前記操作棒に連設された開閉用作動子の押動により把持具の係止爪腕が開成されて、上部ノズルの係当部とラッチ状態となり、同上昇降操作部を上動操作して上位配置とすることによる操作棒の開閉用作動子によって、前記係止爪腕が閉成されて、上部ノズルの係当部とアンラッチ状態となる使用済燃料集合体取扱工具におけるガイドピンにおいて、上記したガイドピンの押当用鍔には、前記上部ノズルの前記載置面に受承される下端側平周縁面の反対側にあって、上向きに先細りとなるよう形成した上端側テーパ周縁面が設けられていることを特徴とする使用済燃料集合体取扱工具におけるガイドピン。
【請求項２】
操作部には固設部と昇降操作部とが具備され、当該操作部の昇降操作部により上下動自在なるよう前記固設部に貫装した操作棒の下端には、開閉用作動子を設けると共に、この操作棒を軸線上に挿通した操作用筒が固設部から下設されて、当該操作用筒の下端取扱部には、複数の係止爪腕が開閉動自在なるよう垂装枢支されてなる把持具と、ブッシュ部の発条により下方への伸出状態に保持されて昇降動自在であると共に、下端側平周縁面の形成された複数のガイドピンとが装備され、使用済燃料集合体の上部ノズルへ向けて前記下端取扱用部を降下させることで、上記のガイドピンを上部ノズルのＳホールに挿入して、当該ガイドピンの先端部が上部ノズルのアダプタプレートに非接触状態が保持されるよう前記した下端側平周縁面を、上部ノズルの載置面にあって受承することにより、前記ブッシュ部の発条を荷重圧縮して前記下端取扱用部を降下自在とし、このことで前記把持具の係止爪腕が、上部ノズルの係当部に係止可能な位置まで進入自在となり、前記した昇降操作部が下位配置にあるときは、前記操作棒に連設された開閉用作動子の押動により把持具の係止爪腕が開成されて、上部ノズルの係当部とラッチ状態となり、同上昇降操作部を上動操作して上位配置とすることによる操作棒の開閉用作動子によって、前記係止爪腕が閉成されて、上部ノズルの係当部とアンラッチ状態となる使用済燃料集合体取扱工具におけるガイドピンにおいて、上記したガイドピンの下端側平周縁面が、上側大径ガイドピン部と下側小径ガイドピン部との連設段差箇所にあって下向きに周設されていることを特徴とする使用済燃料集合体取扱工具におけるガイドピン。
【発明の詳細な説明】
【０００１】
【発明の属する技術分野】
本発明は原子力発電所等にあって使用される使用済燃料集合体につき、これをプール水内で把持した垂下状態にて、既知の貯蔵ラック枠内に収納したり、これを取り出したりするために使用されている使用済燃料集合体取扱工具に関するものである。
【０００２】
【従来の技術】
上記従来の使用済燃料集合体取扱工具Ｕとしては、図７に開示の如きものが多用されており、これは後に詳記する本発明の場合と同じく、プール水Ｗ上に設置の使用済燃料ピットクレーン歩廊１上などにおいて、作業者２が操作することになる操作部３を備えており、これは固設部３Ａと昇降操作部３Ｂとによって構成されている。
そして上記昇降操作部３Ｂの昇降操作により、上下動自在な操作棒３ａは、固設部３Ａにおける基板３ｂに貫設されており、その下端には操作棒１ａよりも大径に形成された開閉用作動子３ｃが、同一軸線Ｘ−Ｘ上にあって連設されている。
【０００３】
さらに、上記の操作棒３ａを同上軸線Ｘ−Ｘ上にあって挿通するようにした操作用筒３ｄが、上記した固設部３Ａの基盤３ｂから下設されており、この操作用筒３ｄにおける下端取扱用部３ｅには、複数の係止爪腕３ｆが開閉自在なるよう垂装枢支されることで把持部３ｇが構成されている。
そして図７の従来例では、操作棒３ａの上端が基盤３ｂの上側まで貫通され、当該上端には把持ハンドル３ｈが連設されることで前掲昇降操作部３Ｂが構成されている。
【０００４】
そして上記昇降操作部３Ｂが、下降位置に保持されてた状態にあれば、前説の操作棒３ａに下設された開閉用作動子３ｃより、前同把持部３ｈにおける係止爪腕３ｅが、外側に向けて開動され、これにより、ここには図示されていないが、後に図５、図６により説示する取扱対象物としての使用済燃料集合体５に対し、これを把持して垂下状態に保持したまま、所要箇所へ持ち運び自在となるラッチ状態が得られるようにしてある。
【０００５】
さらに上記ラッチ状態にあって、昇降操作部３Ｂにおける把持ハンドル３ｇを握り、所定高位まで引き上げるようにすれば、操作棒３ａが上動されることで前記の開閉用作動子３ｃが上昇し、この結果把持部３ｇが押動されることにより、前記した使用済燃料集合体５の把持が解脱されるアンラッチの状態が得るよう構成されている。なお図７の４は、使用済燃料集合体５を垂下して移送するために用いられるピットクレーンホイストの懸垂用端部を示している。
【０００６】
ここで上記した使用済燃料集合体５につき、後述の内容を理解し易くするため説示すると、既知の如く図６にあって、５ａは上部ノズルで５ｂは下部ノズルを示し、両者間にはシンブル管５ｃ（制御棒案内管）と燃料棒５ｄが縦装されて、支持格子５ｅにより所定の離間距離に保持されている。
そして上記した上部ノズル５ａは、これまた既知の通り図５にあって５ｆは上部ノズル５ａのコーナ部に開口されたＳホールを示し、５ｇはＲホール、５ｈはクランプ螺孔、５ｉはホールドダウンスプリング、５ｊは制御棒案内管固定穴、５ｋはアダプタプレート、５ｍは流水孔、そして５ｎは使用済燃料集合体取扱工具Ｕを受承する載置面であり、５ｐは使用済燃料集合体取扱工具Ｕにおける把持具３ｇの係止爪腕３ｆが係脱自在なるよう係止される係当部を示している。
【０００７】
さらに既知の通り使用済燃料集合体取扱工具Ｕにあっては、上記下端取扱用部３ｅにあって上記した係止爪腕３ｆの外周側には、図８（Ａ）の如く一対のガイドピン３ｉが鉛直状に下突されており、このガイドピン３ｉを上部ノズル５ａのＳホール５ｆに向けて降下させることになるが、この際当該ガイドピン３ｉの先端部３ｊは、前記した係止爪腕３ｆの下端が、前記した上部ノズル５ａにおけるホールドダウンスプリング５ｉに衝当してしまう以前にあって、Ｓホール５ｆ内に挿入されるようにすることで、ガイドピン３ｉがＳホール５ｆによって案内されながら降下して行くようにしなければならない。
換言すれば図８（Ａ）に示されている通り、ホールドダウンスプリング５ｉと係止爪腕３ｆとの離間距離ａが、ガイドピン３ｉの先端部３ｊと上部ノズル５ａにおける前記の載置面５ｎとの離間距離ｂよりも大であること（ａ＞ｂ）を要求されるわけである。
【０００８】
さらに、使用済燃料集合体取扱工具Ｕにあっては、上記のようにしてガイドピン３ｉが挿入降下して行き、図８（Ｂ）のように下端取扱用部３ｅにおけるブッシュ部３ｋの下端周縁３ｍが、上部ノズル５ａのＳホール５ｆを貫設した載置面５ｎに載承状態となった際、ガイドピン３ｉの先端部３ｊが上部ノズル５ａのアダプタプレート５ｋに衝当しないようにしなければならない。
従って、この際、上記ブッシュ部３ｋに対してガイドピン３ｉが固設されているとすれば、下端取扱用部３ｅが停止状態となり、当然係止爪腕３ｆも、それ以上は降下しないことになり、従ってこの状態で結果把持具３ｇを後述のように開動しても上部ノズル５ａの前記した係当部５ｐに係止させることは、相対位置の不整合からして不能となる。
【０００９】
このため従来の使用済燃料集合体取扱工具Ｕにあっては、まず図９に開示の如く、ブッシュ部３ｋから突出のガイドピン３ｉに押当用鍔３ｎを固設し、その下端側平周縁面３ｐを、上部ノズル５ａの前記載置面５ｎに受承させるようにして、前記の如くガイドピン３ｉの先端部３ｊとアダプタプレート５ｋとの接触を回避するようにしていると同時に、図１１に開示する如くブッシュ部３ｋとガイドピン３ｉとの間に発条３ｑを介装しておくのである。このようにして当該発条３ｑに対し荷重をかけることで圧縮可能となし、かくて上記の下端取扱用部３ｅを降下自在となるよう構成し、把持具３ｇの係止爪腕３ｆが、上部ノズル５ａにおける前記の係当部５ｐに係止可能な位置まで降下できるようにしてある。
ここで図１１の開示例ではブッシュ部３ｋが下端取扱用部３ｅにおける取着横板部３ｒに、上下配置により螺合挟着した上位閉筒部３ｓと下位開成筒部３ｔとからなり、押当用鍔３ｎの固設されたガイドピン３ｉを下位開成筒部３ｔに対して上下動自在なるよう嵌装すると共に、当該下位開成筒部３ｔの上端開口を閉成した閉蓋３ｕは止螺子３ｖによりガイドピン３ｉに固定し、さらに当該閉蓋３ｕと上位閉筒部３ｓとの間にあって、前記の発条３ｑが介装されるようにしてある。
【００１０】
さらに、当該使用済燃料集合体取扱工具Ｕでは、前記した昇降操作部３Ｂが図７により理解される通り、下位配置にあるときには、前記操作棒３ａの開閉用作動子３ｃによる押動によって把持具３ｇの係止爪腕３ｆが外向きに開成されて、上部ノズル５ａにおける係当部５ｐに対してラッチ状態となるよう構成され、かつ当該昇降操作部３Ｂを上動操作して上位配置とすることによる操作棒３ａの開閉用作動子３ｃによって、前記係止爪腕３ｆが内側へ閉成されて、上部ノズル５ａの係当部５ｐに対するラッチ状態が解除され、これによりアンラッチ状態となるよう構成されている。
【００１１】
【発明が解決しようとする課題】
以上詳記した従来の使用済燃料集合体取扱工具Ｕによるときは、既説の内容により理解される通り、ガイドピン３ｉの先端部３ｊを使用済燃料集合体５におけるアダプタプレート５ｋに衝当しないようにするため、ガイドピン３ｉに押当用鍔３ｎを固設し、その下端側平周縁面３ｐを上部ノズル５ａの載置面５ｎにより支承するようにする必要がある。しかもこの際把持具３ｇの係止爪腕３ｆは、上部ノズル５ａの係当部５ｐ側方位置まで降下させて開動させなければ、上部ノズル５ａをラッチ状態として引き上げることができないことから、ガイドピン３ｉは発条３ｑの弾力に抗して押入自在としておくことが要求されることになる。
【００１２】
このため当該使用済燃料集合体取扱工具Ｕを、ピットクレーンホイストに懸垂して上部ノズル５ａに対しラッチ状態、アンラッチ状態とするための作業を行う際、下端取扱用部３ｅを降下して行く際には図１０（Ａ）のようにガイドピン３ｉの押当周鍔３ｎにおける下端側平周縁面３ｐが、上部ノズル５ａの構造物５ｑに押当したとしても、発条３ｑによって緩衝作用が発揮されることから、押当用鍔３ｎが破損するといった支障は生じない。しかし下端取扱用部３ｅは必要に応じ昇降動操作を受けることになるため、下端取扱用部３ｅが吊り上げられた場合には、構造物５ｑに押当用鍔３ｎが引っかけられた状態で衝当することになるから、当該衝撃による破損が生じ得ることになる。
このため上記の破損を回避するため、現状では押当用鍔３ｎを構造物５ｑに引っかけないよう充分に注意しながらピットクレーンホイストの操作を慎重に、かつ超低速作業によって行うことを余儀なくされており、この結果作業者の労力負担が大となるのはもちろん、操作に長時間を費やすこととなり、極めて作業性の悪いものとなっている。
【００１３】
本発明は上記従来技術の有する欠陥を解消しようとするもので、請求項１にあっては上記した使用済燃料集合体取扱工具におけるガイドピンの構成につき改良を加えるようにしたもので、従来における押当用鍔における下端側平周縁面の反対側にあって、上向きに先細りとなるように形成した上端側テーパ周縁面を設けるようにし、かくしてガイドピンを引き上げるようにした際、上部ノズルの構造物に、上端側テーパ周縁面が当接した場合にあっても、使用済燃料集合体取扱工具が横方向に逃避するようにし、これにより押当用鍔の破損問題を解消すると共に、この種の作業に際し、その能率を向上し、かつ作業者の労力を軽減しようとするのが、その目的である。
【００１４】
さらに請求項２にあっては、請求項１のようにガイドピンの押当用鍔に下端側平周縁面を形成するのではなしに、ガイドピンを上側大径ガイドピン部と下側小径ガイドピン部とによる連設構成とし、当該両ガイドピン部の連設段差箇所にあって下向きに周設された下端側平周縁面を形成することによって、当該下端側平周縁面を上部ノズルの載置面に受承自在なるよう構成することで、これまた請求項１につき上記したと同様にピットクレーンホイストの引き上げ作業に際して、上部ノズルの構造物に引っかかるような箇所を皆無となし、この種の取扱工具を用いた作業中に生じ易い損壊事故の発生を絶滅すると共に、作業性の飛躍的な向上と労力の軽減とを達成しようとするのが目的である。
【００１５】
【課題を解決するための手段】
本発明は、上記の目的を達成するため、請求項１にあっては操作部には固設部と昇降操作部とが具備され、当該操作部の昇降操作部により上下動自在なるよう前記固設部に貫装した操作棒の下端には、開閉用作動子を設けると共に、この操作棒を軸線上に挿通した操作用筒が固設部から下設されて、当該操作用筒の下端取扱部には、複数の係止爪腕が開閉動自在なるよう垂装枢支されてなる把持具と、ブッシュ部の発条により下方への伸出状態に保持されて昇降動自在であると共に、押当用鍔の固設された複数のガイドピンとが装備され、使用済燃料集合体の上部ノズルへ向けて前記下端取扱用部を降下させることで、上記のガイドピンを上部ノズルのＳホールに挿入して、当該ガイドピンの先端部が上部ノズルのアダプタプレートに非接触状態が保持されるよう前記押当用鍔の下端側平周縁面を、上部ノズルの載置面にあって受承することにより、前記ブッシュ部の発条を荷重圧縮して前記下端取扱用部を降下自在とし、このことで前記把持具の係止爪腕が、上部ノズルの係当部に係止可能な位置まで進入自在となり、前記した昇降操作部が下位配置にあるときは、前記操作棒に連設された開閉用作動子の押動により把持具の係止爪腕が開成されて、上部ノズルの係当部とラッチ状態となり、同上昇降操作部を上動操作して上位配置とすることによる操作棒の開閉用作動子によって、前記係止爪腕が閉成されて、上部ノズルの係当部とアンラッチ状態となる使用済燃料集合体取扱工具におけるガイドピンにおいて、上記したガイドピンの押当用鍔には、前記上部ノズルの前記載置面に受承される下端側平周縁面の反対側にあって、上向きに先細りとなるよう形成した上端側テーパ周縁面が設けられていることを特徴とする使用済燃料集合体取扱工具におけるガイドピンを提供しようとしている。
【００１６】
次に請求項２にあっては、操作部には固設部と昇降操作部とが具備され、当該操作部の昇降操作部により上下動自在なるよう前記固設部に貫装した操作棒の下端には、開閉用作動子を設けると共に、この操作棒を軸線上に挿通した操作用筒が固設部から下設されて、当該操作用筒の下端取扱部には、複数の係止爪腕が開閉動自在なるよう垂装枢支されてなる把持具と、ブッシュ部の発条により下方への伸出状態に保持されて昇降動自在であると共に、下端側平周縁面の形成された複数のガイドピンとが装備され、使用済燃料集合体の上部ノズルへ向けて前記下端取扱用部を降下させることで、上記のガイドピンを上部ノズルのＳホールに挿入して、当該ガイドピンの先端部が上部ノズルのアダプタプレートに非接触状態が保持されるよう前記した下端側平周縁面を、上部ノズルの載置面にあって受承することにより、前記ブッシュ部の発条を荷重圧縮して前記下端取扱用部を降下自在とし、このことで前記把持具の係止爪腕が、上部ノズルの係当部に係止可能な位置まで進入自在となり、前記した昇降操作部が下位配置にあるときは、前記操作棒に連設された開閉用作動子の押動により把持具の係止爪腕が開成されて、上部ノズルの係当部とラッチ状態となり、同上昇降操作部を上動操作して上位配置とすることによる操作棒の開閉用作動子によって、前記係止爪腕が閉成されて、上部ノズルの係当部とアンラッチ状態となる使用済燃料集合体取扱工具におけるガイドピンにおいて、上記したガイドピンの下端側平周縁面が、上側大径ガイドピン部と下側小径ガイドピン部との連設段差箇所にあって下向きに周設されていることを特徴とする使用済燃料集合体取扱工具におけるガイドピンを提供しようとしている。
【００１７】
【発明の実施の形態】
本発明に係る請求項１の使用済燃料集合体取扱工具におけるガイドピンにつき以下図１、図２を参照して詳記すると、当該ガイドピン以外の構成については、前記した使用済燃料集合体取扱工具Ｕの構成と実質的に同一であるので、ここで先ず当該使用済燃料集合体取扱工具Ｕについて、前掲符号を用いてその不可欠な構成につき図５ないし図７を参照して明示すると以下の通りである。
すなわち操作部３には固設部３Ａと昇降操作部３Ｂとが具備され、昇降操作部３Ｂにより上下動自在なるよう固設部３Ａに貫設されている操作棒３ａの下端には、開閉用作動子３ｃが設けられている。
そしてこの操作棒３ａを軸線Ｘ−Ｘ上に挿通している挿作用筒３ｄが固設部３Ａから下設されていて、上記挿作用筒３ｄの下端取扱用部３ｅには、複数の係止爪腕３ｆが左右方向へ開閉自在なるよう垂装枢支されてなる把持具３ｇが設けられていると共に、ブッシュ部３ｋが設けられた発条３ｑにより下方へ伸出状態に保持されて昇降自在であり、かつ押当用鍔３ｎの固設された複数のガイドピン３ｉとが装備されている。
【００１８】
さらに、使用済燃料集合体５の上部ノズル５ａへ向け下端取扱用部３ｅを降下させれば、ガイドピン３ｉが上部ノズルのＳホールに挿入して、ガイドピン３ｉの先端部３ｊが上部ノズル５ａアダプタプレート５ｋに非接触状態が保持されるよう前記押当用鍔３ｎの下端側平周縁面３ｐを、上部ノズル５ａの載置面５ｎに受承することができる。
そしてこの際ブッシュ部３ｋの発条３ｑが荷重圧縮されることで、下端取扱用部３ｅが降下（沈下）し、このことで把持具３ｇの係止爪腕３ｆが、上部ノズル５ａの係当部５ｐに係止可能となる位置まで進入し得るよう構成されている。
【００１９】
しかも、当該使用済燃料集合体取扱工具は、昇降操作部３Ｂを下位配置とすることで、操作棒３ａの開閉用作動子３ｃが押動されて把持具３ｇの係止爪腕３ｆが開成され、これにより上部ノズル５ａの係当部５ｐに対するラッチ状態が確保されることになる。
そして上記した昇降操作部３Ｂを上動操作することで上位配置とすれば、操作棒３ａの開閉用作動子３ｃによって、係止爪腕３ｆが閉成されて、上部ノズル５ａの係当部５ｐに対してアンラッチ状態とすることができる。
【００２０】
さて、上記の如き使用済燃料集合体取扱工具にあって、そのガイドピン３ｉが請求項１にあっては以下のように構成されている。
すなわち図１、図２によって理解される通り、同一符号で示したガイドピン３ｉは、前説の従来品と基本的に同一の構成となっているが、その前記した押当用鍔３ｎの形態が以下のように相違している。
請求項１における押当用鍔６なるものは、従来例における押当用鍔３ｎの下端側平周縁面３ｐに対応する下端側平周縁面６ａが形成され、これが上部ノズル５ａの載置面５ｎに受承されるのであるが、この下端側平周縁面６ａの反対側にあっては、上向きに先細りとなるよう形成の上端側テーパ周縁面６ｂが設けられているのであり、従って従来例では下端側平周縁面３ｐの反対側にもフラットな上端側平周縁面が設けられていたのに対し、これを上端側テーパ周縁面６ｂにて形成している点で本質的な相違を有している。
【００２１】
従って上記の如き押当用鍔６をガイドピン３ｉに形成することで、もちろん発条３ｑの作用により使用済燃料集合体取扱工具を吊り降ろすときには、押当用鍔６が上部ノズル５ａの構造物に衝当しても、当該押当用鍔６が破損することはないだけでなく、同上取扱工具を矢印Ｆ１のように引き上げるときには、上記構造物に対して押当用鍔６の上端側テーパ周縁面６ｂが押当することになる。この結果図１（Ｂ）に示されている通り当該押当による衝撃が軽減されると共に、この際押当用鍔６は矢印Ｆ２方向への力を受けることになり、従って当該ガイドピン３ｉは横方向への逃避を許容されて、使用済燃料集合体取扱工具の吊り上げを支障なく行い得ることになり、押当用鍔６の破損を未然に防止できると共に、ピットクレーンホイストの高速なる昇降操作を実施することができる。
【００２２】
なお、ここで図２に開示するようにブッシュ部３ｋの下位開成筒部３ｔの下端部にあってテーパ付き受嵌凹所３ｗを設けておき、このことにより当該テーパ付き受嵌凹所３ｗに対して、押当用鍔６における上端側テーパ周縁面６ｂが嵌合自在となるようにしておくのが、ガイドピン３ｉの安定と補強上望ましい。
また図１１によって説示の従来例を、上記請求項１の構成に改設しようとする際には、ガイドピン３ｉと下位開成筒部３ｔとを上位閉筒部３ｓの雌螺子部３ｘから螺回操作により取り外し、押当用鍔６を備えたガイドピン３ｉを下位開成筒部３ｔに嵌して閉蓋３ｕを止螺子３ｖにより固定したものにつき、これを、上記した雌螺子部３ｘに螺着するだけでよく、同図の３ｙは雌螺子部３ｘに螺合する下位開成筒部３ｔの雄螺子部を示している。
【００２３】
次に請求項２について詳記すると、これまた上記請求項１と同様に従来の使用済燃料集合体取扱工具Ｕと実質的に相違するところは、そのガイドピンに関しており、使用済燃料集合体取扱工具の構成については実質的に前記請求項１に係る説示内容と同一である。
以下図３と図４によって当該ガイドピン７につき以下詳記すると請求項１の如き押当用鍔３ｎではなしに、ブッシュ部３ｋに昇降動自在なるよう嵌合されたガイドピン７を、上側大径ガイドピン部７ａと、これに連設された下側小径ガイドピン部７ｂとによって形成するようにしてており、図中７ｃが下側小径ガイドピン部７ｂの先端部を示している。
【００２４】
さらに請求項２では、上記した上側大径ガイドピン部７ａと下側小径ガイドピン部７ｂとの連設段差箇所Ｐにあって、下向きにガイドピン７の下端側平周縁面７ｄが周設されているのである。
この際図３により理解される通り、上記の下端側平周縁面７ｄは前記従来例における押当用鍔３ｎの下端側平周縁面３ｐと同等の高さ位置に形成することになり、さらに設計上請求項２にあって、ブッシュ部３ｋと下端側平周縁面７ｄとの離間距離である昇降許容長Ｓ１の寸法と、前記した従来の押当用鍔３ｎとブッシュ部３ｋとの離間距離である昇降許容長Ｓ２の寸法とをＳ１＝Ｓ２とすべく、上記両者のブッシュ部３ｋ、３ｋの寸法差ｄ１は、押当用鍔３ｎの鍔厚ｄ２と相等しくすることになる。
【００２５】
請求項２に係るガイドピン３ｉは以上のようにして構成されていることから、請求項１のようにガイドピン７から鍔状のものが径方向へ突設されておらず、しかもガイドピン７が順次上方から上側大径ガイドピン部７ａと下側小径ガイドピン部７ｂとによって連設されているので、連設段差箇所Ｐにあって、下向きに形成された下端側平周縁面７ｄが形成されている。このため当該下端側平周縁面７ｄによって、上部ノズル５ａの載置面５ｎに受承できると共に、ガイドピン７が吊り上げられるときにも、上部ノズル５ａの構造物５ｑに衝当する如き箇所が全く存在しないため、使用済燃料集合体取扱工具の昇降動操作に支障を来すことがなく、請求項１の場合よりも一層その作業性を向上することが可能となる。
【００２６】
【発明の効果】
本発明は以上のようにして構成されているので、請求項１によるときはガイドピンの押当用鍔に上端側テーパ周縁面を形成するようにしたことにより、使用済燃料集合体取扱工具の作業に際し押当用鍔を上部ノズルの構造物に衝当して破損してしまうことなく、しかも当該衝当時には、これを回避するようにガイドピンが横向きにスライドするので、係留状態となってしまうことなく、従って使用済燃料集合体取扱工具を可成りのスピードで昇降動させることが可能となり、この種の作業に要する操作時間の大幅な短縮と、作業労力の低減を図ることが可能となる。
【００２７】
さらに請求項２によるときは、請求項１における押当用鍔に相当するものはなく、上側大径ガイドピン部と下側小径ガイドピン部とによってガイドピンを形成することで、下向きの下端側平周縁面を形成し、これを上部ノズルの載置面に受承自在なるよう構成したことから、ガイドピンの吊り上げ時に上部ノズルの構造物に衝当する箇所が皆無となり、ガイドピン側には衝当によって破損するものがないため、円滑な高速の作業が保証され、その制作費をも削減することができる。
【図面の簡単な説明】
【図１】（Ａ）は請求項１に係る使用済燃料集合体取扱工具における下端部分が、使用済燃料集合体の上部ノズル近傍まで降下した状態を示す正面略示図で、（Ｂ）は（Ａ）におけるガイドピンの吊り上げ状態を示す正面作用説明図である。
【図２】図１に示したガイドピンと、そのブッシュ部とを示す別異例の部分正面図である。
【図３】従来のガイドピン近傍と請求項２のガイドピン近傍との寸法を対比して示した相対関係正面図である。
【図４】請求項２に係るガイドピンの吊り上げ状態における上部ノズルを組成する構造物との相対関係を示した正面説明図である。
【図５】使用済燃料集合体における上部ノズルを示した斜視図である。
【図６】使用済燃料集合体の正面図である。
【図７】従来の使用済燃料集合体取扱工具を示す使用状態を示した略示正面図である。
【図８】（Ａ）は図７の使用済燃料集合体取扱工具における下端部分と使用済燃料集合体における上部ノズルとの相対関係を示した正面説明図であり、（Ｂ）は（Ａ）におけるガイドピンが上部ノズルに受承された状態を示す一部を切欠して示した要部拡大正面図である。
【図９】（Ａ）は図７のガイドピンに押当用鍔を設けた使用済燃料集合体取扱工具の下端部分と上部ノズルとの相対関係を示した正面説明図であり、（Ｂ）は（Ａ）におけるガイドピンの押当用鍔が上部ノズルに受承された状態を示す一部切欠の要部拡大正面図である。
【図１０】（Ａ）は上記図９のガイドピンにおける押当用鍔が、上部ノズルの特定構造物に対し降下衝当した状態を示す要部正面図で、（Ｂ）は同上構造物に押当用鍔が上昇により衝当した状態の要部正面図である。
【図１１】図９に示したブッシュ部と、これに昇降自在なるよう嵌装されたガイドピンとを示した縦断正面図である。
【符号の説明】
３    操作部
３Ａ  固設部
３Ｂ  昇降操作部
３ａ  操作棒
３ｃ  開閉用作動子
３ｄ  操作用筒
３ｅ  下端取扱用部
３ｆ  係止爪腕
３ｇ  把持具
３ｉ  ガイドピン
３ｊ  先端部
３ｋ  ブッシュ部
３ｑ  発条
５    使用済燃料集合体
５ａ  上部ノズル
５ｆ  Ｓホール
５ｋ  アダプタプレート
５ｎ  載置面
５ｐ  係当部
６    押当用鍔
６ａ  下端側平周平面
６ｂ  上端側テーパ周縁部
７    ガイドピン
７ａ  上側大径ガイドピン
７ｂ  下側小径ガイドピン
７ｄ  下端側平周縁面
Ｐ    連結段差箇所
Ｕ    使用済燃料集合体取扱工具
Ｘ−Ｘ  軸線
【図１】
0003745255.tif 000002
【図２】
0003745255.tif 000003
【図３】
0003745255.tif 000004
【図４】
0003745255.tif 000005
【図５】
0003745255.tif 000006
【図６】
0003745255.tif 000007
【図７】
0003745255.tif 000008
【図８】
0003745255.tif 000009
【図９】
0003745255.tif 000010
【図１０】
0003745255.tif 000011
【図１１】
0003745255.tif 000012